(57)【要約】【課題】形状や構造などが異なる既存のサッシに対し、既存のサッシ外枠や戸車用レールなどを再使用する状態でサッシ内枠のみを取り替えることができるサッシ取り替え工法とその工法などに使用するサッシ内枠。【解決手段】既存のサッシ外枠１が、内外一対の戸車用とガイド用のレール３ｂ，４ａ，４ｂを備え、引き違い状に配設の既存のサッシ内枠をリフォーム用サッシ内枠５ａ，５ｂに取り替える工法で、リフォーム用サッシ内枠５ａ，５ｂの少なくとも一方として、戸車６とガイド部材８がサッシ内枠の厚み方向に位置変更固定自在なレール幅変更機構７，９付きサッシ内枠を使用して、リフォーム用サッシ内枠の戸車６とガイド部材８を位置変更固定した状態で取り替えるサッシ取り替え工法と、戸車６とガイド部材８がサッシ内枠の厚み方向に位置変更固定自在なレール幅変更機構７，９を備えているサッシ内枠。【選択図】        図６
2004183291.tif 000002
【特許請求の範囲】
【請求項１】
建物側に固定された既存のサッシ外枠が、下方に位置する室内側と室外側との内外一対の戸車用レールと、上方に位置する室内側と室外側との内外一対のガイド用レールを備え、そのサッシ外枠に引き違い状に配設されている既存のサッシ内枠を内外一対のリフォーム用サッシ内枠に取り替えるサッシ取り替え工法であって、
前記一対のリフォーム用サッシ内枠の少なくとも一方のサッシ内枠として、下方に位置する戸車と上方に位置するガイド部材がそのサッシ内枠の厚み方向に位置変更固定自在なレール幅変更機構付きリフォーム用サッシ内枠を使用し、
前記一対のリフォーム用サッシ内枠が前記既存のサッシ外枠の戸車用レールとガイド用レールに適応するように、前記レール幅変更機構付きリフォーム用サッシ内枠の戸車とガイド部材を位置変更固定した状態でリフォーム用サッシ内枠に取り替えるサッシ取り替え工法。
【請求項２】
前記一対のリフォーム用サッシ内枠の両方に前記レール幅変更機構付きリフォーム用サッシ内枠を使用する請求項１に記載のサッシ取り替え工法。
【請求項３】
下方にサッシ外枠の戸車用レール上を転動する戸車を備え、上方に前記サッシ外枠のガイド用レールによりガイドされるガイド部材を備えているサッシ内枠であって、
前記戸車とガイド部材がそのサッシ内枠の厚み方向に位置変更固定自在なレール幅変更機構を備えているサッシ内枠。
【発明の詳細な説明】
【０００１】
【発明の属する技術分野】
本発明は、建物側に固定された既存のサッシ外枠が、下方に位置する室内側と室外側との内外一対の戸車用レールと、上方に位置する室内側と室外側との内外一対のガイド用レールを備え、そのサッシ外枠に引き違い状に配設されている既存のサッシ内枠を内外一対のリフォーム用サッシ内枠に取り替えるサッシ取り替え工法に関する。
【０００２】
【従来の技術】
この種のサッシでは、近年、防音タイプ、断熱タイプ、あるいは、日射コントロールタイプなどの種々の機能を備えたものが流通し、古い既存のサッシを新しいサッシに取り替えたいという要望もきわめて高い。
ところが、この種のサッシは、その形状や構造などがメーカーや製造年代により異なっていて種々のものが存在するため、サッシのリフォーム、例えば、既存のサッシ外枠を建物側に残したままで、かつ、そのサッシ外枠を新たなサッシの一部として使用可能な状態でサッシ内枠（サッシ業界では、一般に「障子」と称している）のみをリフォームするのは不可能に近いと考えられていた。
【０００３】
このような問題を解決する工法として、従来、既存のサッシ外枠を建物側に残し、かつ、既存のサッシ外枠の下方に位置する室内側と室外側との内外一対の戸車用レールもそのまま残した状態で、その既存の戸車用レールに被覆レール部材などを被せて、室内側と室外側との戸車用レールの間隔を変更したり、既存のサッシ外枠の上方にリフォーム用のガイド用レールを取り付けたりして、既存のサッシ内枠をリフォーム用のサッシ内枠に取り替える方法が提案された（例えば、特許文献１参照）。
【０００４】
【特許文献１】
特許第２９２０７６０号公報（図４〜図７）
【０００５】
【発明が解決しようとする課題】
しかし、上記公報に開示の工法では、例えば、戸車用レールの間隔を変更するにあたり、既存の戸車用レールに被覆レール部材などを被せてレール間隔を変更するものであるから、レール間隔の変更にも自ずと限度があり、したがって、特定の条件に合致するサッシ外枠を備えた既存のサッシにのみ適用可能な工法であり、上述したように、形状や構造などがメーカーや製造年代により種々に異なる既存のサッシにおいて必ずしも満足できる工法ではなく、この点に改良の余地が残されている。
【０００６】
本発明は、このような問題点に着目したもので、その目的は、形状や構造などが種々に異なる既存のサッシにおいてできる限り多くのサッシに対し、その既存のサッシ外枠や戸車用レールなどを再使用する状態でサッシ内枠のみを取り替えることができるサッシ取り替え工法とその工法などに使用するサッシ内枠を提供することである。
【０００７】
【課題を解決するための手段】
請求項１の発明の特徴構成は、建物側に固定された既存のサッシ外枠が、下方に位置する室内側と室外側との内外一対の戸車用レールと、上方に位置する室内側と室外側との内外一対のガイド用レールを備え、そのサッシ外枠に引き違い状に配設されている既存のサッシ内枠を内外一対のリフォーム用サッシ内枠に取り替えるサッシ取り替え工法であって、前記一対のリフォーム用サッシ内枠の少なくとも一方のサッシ内枠として、下方に位置する戸車と上方に位置するガイド部材がそのサッシ内枠の厚み方向に位置変更固定自在なレール幅変更機構付きリフォーム用サッシ内枠を使用し、前記一対のリフォーム用サッシ内枠が前記既存のサッシ外枠の戸車用レールとガイド用レールに適応するように、前記レール幅変更機構付きリフォーム用サッシ内枠の戸車とガイド部材を位置変更固定した状態でリフォーム用サッシ内枠に取り替えるところにある。
【０００８】
請求項１の発明の特徴構成によれば、一対のリフォーム用サッシ内枠の少なくとも一方のサッシ内枠として、下方に位置する戸車と上方に位置するガイド部材がそのサッシ内枠の厚み方向に位置変更固定自在なレール幅変更機構付きリフォーム用サッシ内枠を使用して、一対のリフォーム用サッシ内枠が既存のサッシ外枠の戸車用レールとガイド用レールに適応するように、そのレール幅変更機構付きリフォーム用サッシ内枠の戸車とガイド部材を位置変更固定した状態でリフォーム用サッシ内枠に取り替えるので、かなり広範囲にわたる既存のサッシに対して、その戸車用レールとガイド用レールを再使用する状態で、サッシ内枠のみを取り替えることができ、リフォームに要する費用の低減化を図ることができる。
【０００９】
請求項２の発明の特徴構成は、前記一対のリフォーム用サッシ内枠の両方に前記レール幅変更機構付きリフォーム用サッシ内枠を使用するところにある。
【００１０】
請求項２の発明の特徴構成によれば、一対のリフォーム用サッシ内枠の両方にレール幅変更機構付きリフォーム用サッシ内枠を使用するので、既存のサッシに対する適用範囲がより一層広くなり、更に広範囲にわたる既存のサッシに対してサッシ内枠のみをリフォーム用サッシ内枠に取り替えることができる。
【００１１】
請求項３の発明の特徴構成は、下方にサッシ外枠の戸車用レール上を転動する戸車を備え、上方に前記サッシ外枠のガイド用レールによりガイドされるガイド部材を備えているサッシ内枠であって、前記戸車とガイド部材がそのサッシ内枠の厚み方向に位置変更固定自在なレール幅変更機構を備えているところにある。
【００１２】
請求項３の発明の特徴構成によれば、戸車とガイド部材を備えたサッシ内枠において、戸車とガイド部材がサッシ内枠の厚み方向に位置変更固定自在なレール幅変更機構を備えているので、そのサッシ内枠を上述したサッシ取り替え工法に使用することにより、広範囲にわたる既存のサッシに対して、その戸車用レールとガイド用レールを再使用する状態で、サッシ内枠のみを新しいものと取り替えることができる。
さらに、このサッシ内枠によれば、レール間隔の異なる複数種類のサッシ外枠に適用できるので、上述したサッシ取り替え工法に限らず、新規に設置する新品のサッシにも使用することができる。
例えば、メーカーの違いなどによって構造や意匠の異なる複数種類のサッシ外枠の中から好みのサッシ外枠を選択し、その選択したサッシ外枠と本発明によるサッシ内枠とを組み合わせて使用することが可能となり、使用者に対する汎用性が向上する。
【００１３】
【発明の実施の形態】
本発明によるサッシ取り替え工法とその工法に使用するサッシ内枠の実施の形態を図面に基づいて説明する。
この工法の対象となる既存のアルミサッシは、図１０に示すように、建物側に固定された既存のアルミ製サッシ外枠１と、そのサッシ外枠１内に引き違い状に配設された内外一対の既存のアルミ製サッシ内枠２ａ，２ｂ、すなわち、室内側に位置する内側サッシ内枠２ａと室外側に位置する外側サッシ内枠２ｂを備えている。
サッシ外枠１は、下方に位置する室内側レール３ａと室外側レール３ｂとの内外一対の戸車用レール３ａ，３ｂと、上方に位置する室内側レール４ａと室外側レール４ｂとの内外一対のガイド用レール４ａ，４ｂを備え、上下一対の室内側レール３ａ，４ａに沿って内側サッシ内枠２ａが、上下一対の室外側レール３ｂ，４ｂに沿って外側サッシ内枠２ｂが、それぞれ移動自在に保持されている。
【００１４】
このような既存のサッシにおいて、サッシ外枠１を建物側に残し、かつ、戸車用レール３ａ，３ｂとガイド用レール４ａ，４ｂを再使用する状態で、図１に示すように、既存のサッシ内枠２ａ，２ｂのみを新たなリフォーム用サッシ内枠５ａ，５ｂに取り替える場合、特に問題となるのは、既存の室内側レール３ａ，４ａと室外側レール３ｂ，４ｂにおけるレール間隔Ｌが、必ずしもリフォーム用サッシ内枠５ａ，５ｂのレール間隔に対応しないことである。
この問題を解決するため、本発明の工法に使用するリフォーム用サッシ内枠５ａ，５ｂは、図２に示すように、下方に位置する戸車６のそれぞれが、戸車用のレール幅変更機構７を備え、かつ、図４に示すように、上方に位置するガイド部材８のそれぞれも、ガイド部材用のレール幅変更機構９を備えている。
【００１５】
戸車用のレール幅変更機構７は、各戸車６をリフォーム用サッシ内枠５ａ，５ｂの厚み方向に位置変更して固定するためのもので、合成樹脂製の戸車６自体は、図３にも示すように、サッシ内枠５ａ，５ｂに取り付けられる金属製の本体枠１０内に位置する金属製の可動枠１１に対して、回転軸心Ｐ周りに回転自在に保持されている。
その可動枠１１は、本体枠１０を横断する第１横軸１２に対して回動自在に、かつ、スライド自在に保持され、さらに、本体枠１０には、第１横軸１２と平行する第２横軸１３も設けられていて、両横軸１２，１３に対して合成樹脂製の補助ガイド部材１４がスライド自在に保持され、補助ガイド部材１４の下方に戸車用レール３ａ，３ｂに係合する切欠き１４ａが設けられるとともに、その補助ガイド部材１４が、第１横軸１２部分において可動枠１１に挟持されている。
【００１６】
本体枠１０には、レール幅変更用の操作具１５が回転のみ自在に保持され、その操作具１５に設けられた調節ギヤ１６がピニオンギヤ１７に交合し、かつ、そのピニオンギヤ１７が、補助ガイド部材１４の上面に設けられたラック１８に交合していて、レール幅変更用操作具１５をプラスドライバなどにより正逆方向に回転操作することにより、調節ギヤ１６、ピニオンギヤ１７、および、ラック１８を介して、補助ガイド部材１４と可動枠１１とが、両横軸１２，１３に沿ってスライドするように構成されている。
すなわち、レール幅変更用操作具１５、調節ギヤ１６、ピニオンギヤ１７、ラック１８、補助ガイド部材１４、および、可動枠１１などによって、上述した戸車用のレール幅変更機構７が構成されていて、そのレール幅変更機構７により、各戸車６がリフォーム用サッシ内枠５ａ，５ｂの厚み方向に位置変更固定自在に構成されている。
【００１７】
本体枠１０の上部には、さらに、高さ変更用のねじ棒１９が回転のみ自在に保持され、そのねじ棒１９に螺合するナット部材２０が、ねじ棒１９の正逆方向への回転操作に伴って本体枠１０の側部に設けられた切欠き１０ａ内においてねじ棒１９に沿って移動するように構成されている。
そのナット部材２０は、可動枠１１の上部に設けられた切欠き１１ａに係合していて、ねじ棒１９の回転操作に伴ってナット部材２０がねじ棒１９に沿って移動すると、可動枠１１が第１横軸１２回りに回動して、本体枠１０に対する戸車６の上下方向高さが変更されるように構成されている。
【００１８】
ガイド部材用のレール幅変更機構９は、各ガイド部材８をリフォーム用サッシ内枠５ａ，５ｂの厚み方向に位置変更して固定するためのもので、合成樹脂製のガイド部材８自体は、図５にも示すように、サッシ内枠５ａ，５ｂに取り付けられる金属製の本体枠２１内に位置されて、その本体枠２１を横断する２本の横軸２２ａ，２２ｂに対してスライド自在に保持され、その上方にはガイド用レール４ａ，４ｂに係合する切欠き８ａが設けられている。
本体枠２１には、レール幅変更用の操作具２３が回転のみ自在に保持され、その操作具２３に設けられた調節ギヤ２４がピニオンギヤ２５に交合し、かつ、そのピニオンギヤ２５が、ガイド部材８に設けられたラック２６に交合していて、レール幅変更用操作具２３をプラスドライバなどにより正逆方向に回転操作することにより、調節ギヤ２４、ピニオンギヤ２５、および、ラック２６を介して、ガイド部材８が２本の横軸２２ａ，２２ｂに沿ってスライドするように構成されている。
すなわち、レール幅変更用操作具２３、調節ギヤ２４、ピニオンギヤ２５、および、ラック２６などによって、上述したガイド部材用のレール幅変更機構９が構成されて、各ガイド部材８がリフォーム用サッシ内枠５ａ，５ｂの厚み方向に位置変更固定自在に構成されている。
【００１９】
つぎに、既存のサッシ外枠１にリフォーム用サッシ内枠５ａ，５ｂを組み付ける方法について説明する。
内外一対のリフォーム用サッシ内枠５ａ，５ｂの召合せ部には、図７および図８に示すように、「煙返し」と称される内外一対の召合せ突条２７ａ，２７ｂが設けられているので、これら召合せ突条２７ａ，２７ｂが所定の位置関係になるように、内外一対のリフォーム用サッシ内枠５ａ，５ｂを位置させる。
その状態では、通常、内外一対のリフォーム用サッシ内枠５ａ，５ｂにおける戸車６間の間隔とガイド部材８間の間隔が、既設の戸車用レール３ａ，３ｂとガイド用レール４ａ，４ｂのレール間隔Ｌと一致しない。
【００２０】
そこで、両リフォーム用サッシ内枠５ａ，５ｂの召合せ突条２７ａ，２７ｂを所定の位置関係に維持したまま、両リフォーム用サッシ内枠５ａ，５ｂのいずれか一方あるいは両方において、各戸車用レール幅変更機構９の操作具１５と各ガイド部材用レール幅変更機構９の操作具２３を回転操作し、各戸車６とガイド部材８をサッシ内枠５ａ，５ｂの幅方向に位置変更して、図６〜図８に示すように、両リフォーム用サッシ内枠５ａ，５ｂにおける戸車６間の間隔とガイド部材８間の間隔が、既設の戸車用レール３ａ，３ｂとガイド用レール４ａ，４ｂのレール間隔Ｌと一致するように調節する。
このようにして、既存のサッシ外枠１にリフォーム用サッシ内枠５ａ，５ｂを嵌め込むことにより、両リフォーム用サッシ内枠５ａ，５ｂは、既存のサッシ外枠１の戸車用レール３ａ，３ｂとガイド用レール４ａ，４ｂに沿って円滑にスライド可能となり、また、両サッシ内枠５ａ，５ｂを閉じた際、サッシ内枠５ａ，５ｂ間の召合せも所定どおりに維持される。
【００２１】
〔別実施形態〕
（１）先の実施形態では、内外一対のリフォーム用サッシ内枠５ａ，５ｂにおいて、両サッシ内枠５ａ，５ｂが共に戸車用レール幅変更機構７とガイド部材用レール幅変更機構９を備えたものを使用した例を示したが、既存のサッシ外枠１のレール間隔Ｌによっては、両リフォーム用サッシ内枠５ａ，５ｂのいずれか一方のみに戸車用レール幅変更機構７とガイド部材用レール幅変更機構９を備えたサッシ内枠を使用して取り替えることもできる。
【００２２】
（２）さらに、内外一対のリフォーム用サッシ内枠５ａ，５ｂの両方に戸車用レール幅変更機構７とガイド部材用レール幅変更機構９を備えたサッシ内枠を使用しても対応不可能な場合には、図９に示すように、両リフォーム用サッシ内枠５ａ，５ｂの召合せ部において、両召合せ突条２７ａ，２７ｂあるいはその一方をサッシ内枠５ａ，５ｂに対して取り付け、取り外し自在に構成し、幅ｄの異なる複数の召合せ突条２７ａ，２７ｂを準備しておいて、適宜選択使用することにより対応可能となる。
【図面の簡単な説明】
【図１】リフォーム後のアルミサッシの斜視図
【図２】レール幅変更機構付き戸車の斜視図
【図３】レール幅変更機構付き戸車の縦断正面図
【図４】レール幅変更機構付きガイド部材の斜視図
【図５】レール幅変更機構付きガイド部材の縦断正面図
【図６】リフォーム後のアルミサッシの縦断側面図
【図７】リフォーム後のアルミサッシの横断平面図
【図８】リフォーム後のアルミサッシの横断平面図
【図９】リフォーム過程を示す召合い部の斜視図
【図１０】リフォーム前のアルミサッシの縦断側面図
【符号の説明】
１          既存のサッシ外枠
２ａ，２ｂ  既存のサッシ内枠
３ａ，３ｂ  戸車用レール
４ａ，４ｂ  ガイド用レール
５ａ，５ｂ  リフォーム用サッシ内枠
６          戸車
７          戸車のレール幅変更機構
８          ガイド部材
９          ガイド部材のレール幅変更機構
【図１】
2004183291.tif 000003
【図２】
2004183291.tif 000004
【図３】
2004183291.tif 000005
【図４】
2004183291.tif 000006
【図５】
2004183291.tif 000007
【図６】
2004183291.tif 000008
【図７】
2004183291.tif 000009
【図８】
2004183291.tif 000010
【図９】
2004183291.tif 000011
【図１０】
2004183291.tif 000012